(57)【要約】【課題】  放射線撮影において異常が生じた際に、その異常を解消することを容易にすること。【解決手段】  放射線撮影の制御装置は、放射線撮影の撮影条件と、その撮影条件の少なくとも１つによる放射線撮影で得られる放射線画像とを表示部に表示させるための、その表示部に表示されるべき表示内容を示す情報を、その表示部に対して出力する表示制御機能を有する。制御装置は、放射線撮影に関する異常の有無を判定し、異常があると判定された場合に、その異常に基づくタイミングで表示部に対して表示制御機能が出力した表示内容を示す情報を、記憶部に記憶させる。【選択図】  図３
2015188536.tif 000002
【特許請求の範囲】
【請求項１】
放射線撮影の制御装置であって、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記判定手段により異常があると判定された場合に、当該異常に基づくタイミングで前記表示手段に対して前記表示制御手段が出力した前記表示内容を示す情報を記憶手段に記憶させる記憶制御手段と、
を有することを特徴とする制御装置。
【請求項２】
前記記憶制御手段は、前記判定手段により異常があると判定されたことに応じて、当該異常が生じたと判定されたタイミングに基づくタイミングで前記表示手段に対して前記表示制御手段が出力した前記表示内容を示す情報を、前記記憶手段に記憶させる、
ことを特徴とする請求項１に記載の制御装置。
【請求項３】
前記記憶制御手段は、前記異常が生じたと判定されたタイミングより後のタイミングで前記表示手段に対して前記表示制御手段が出力した、所定数の前記表示内容を示す情報を、前記記憶手段に記憶させる、
ことを特徴とする請求項２に記載の制御装置。
【請求項４】
前記記憶制御手段は、さらに、前記異常が生じたと判定されたタイミングより前のタイミングで前記表示手段に対して前記表示制御手段が出力した、所定数の前記表示内容を示す情報を、前記記憶手段に記憶させる、
ことを特徴とする請求項３に記載の制御装置。
【請求項５】
前記記憶制御手段は、前記判定手段により異常があると判定されたことに応じて、当該異常が生じたと判定されたタイミングに基づくタイミングで前記表示手段に対して前記表示制御手段が出力した前記表示内容を示す情報を取得して、前記記憶手段に記憶させる、
ことを特徴とする請求項１に記載の制御装置。
【請求項６】
前記記憶制御手段は、前記異常の有無によらず前記表示制御手段が出力した前記表示内容を示す情報を前記記憶手段に記憶させ、前記異常に基づくタイミングで前記表示手段に対して前記表示制御手段が出力した前記表示内容を示す情報を保持し、その他の情報を削除するように、前記記憶手段を制御する、
ことを特徴とする請求項１に記載の制御装置。
【請求項７】
放射線撮影の制御装置であって、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記異常の有無によらず前記表示制御手段が出力した前記表示内容を示す情報を記憶手段に記憶させると共に、前記判定手段により異常があると判定された場合に、当該異常に基づくタイミングで前記表示手段に対して前記表示制御手段が出力した前記表示内容を示す情報を保持し、その他の情報を削除するように前記記憶手段を制御する、記憶制御手段と、
を有することを特徴とする制御装置。
【請求項８】
前記記憶制御手段は、前記異常の有無によらず、前記放射線撮影ごとに前記表示制御手段が出力した前記表示内容を示す情報を前記記憶手段に記憶させる、
ことを特徴とする請求項６又は７に記載の制御装置。
【請求項９】
前記記憶制御手段は、前記異常の有無によらず、前記表示制御手段が出力した前記表示内容を示す情報を、一定間隔で前記記憶手段に記憶させる、
ことを特徴とする請求項６又は７に記載の制御装置。
【請求項１０】
前記表示内容を示す情報は、前記表示手段に表示されるべき画面のスクリーンキャプチャを含む、
ことを特徴とする請求項１から９のいずれか１項に記載の制御装置。
【請求項１１】
前記表示内容を示す情報は、前記表示手段に表示されるべき前記放射線画像を含む画像のスクリーンキャプチャを含む、
ことを特徴とする請求項１から１０のいずれか１項に記載の制御装置。
【請求項１２】
前記表示内容を示す情報は、前記表示手段に表示されるべき画面のスクリーンキャプチャの一部が視認できなくなるように処理された画像を含む、
ことを特徴とする請求項１から１１のいずれか１項に記載の制御装置。
【請求項１３】
前記記憶制御手段は、さらに、放射線撮影に用いられたセンサ情報、ログデータ、画像データ、検査日時、Ｓｔｕｄｙ  Ｉｎｓｔａｎｃｅ  ＵＩＤ、又はＳＯＰ  Ｉｎｓｔａｎｃｅ  ＵＩＤの少なくともいずれかを前記記憶手段に記憶させる、
ことを特徴とする請求項１から１２のいずれか１項に記載の制御装置。
【請求項１４】
前記判定手段は、放射線撮影における線量の指標値が所定の範囲に含まれるか否かに応じて、当該放射線撮影に関する異常の有無を判定する、
ことを特徴とする請求項１から１３のいずれか１項に記載の制御装置。
【請求項１５】
前記判定手段は、過去の放射線撮影における線量の指標値の統計値と、今回の放射線撮影における線量の指標値との比較に基づいて、当該今回の放射線撮影における異常の有無を判定する、
ことを特徴とする請求項１から１３のいずれか１項に記載の制御装置。
【請求項１６】
前記判定手段は、放射線撮影が行われた際の前記制御装置を含む放射線撮影システムの動作に係る異常の有無に応じて、当該放射線撮影に関する異常の有無を判定する、
ことを特徴とする請求項１から１５のいずれか１項に記載の制御装置。
【請求項１７】
ユーザからの入力を受け付ける受付手段をさらに有し、
前記判定手段は、放射線撮影に関して前記受付手段において所定の入力を受け付けたか否かに応じて、当該放射線撮影に関する異常の有無を判定する、
ことを特徴とする請求項１から１６のいずれか１項に記載の制御装置。
【請求項１８】
放射線撮影の制御システムであって、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記判定手段により異常があると判定された場合に、当該異常に基づくタイミングで前記表示手段に対して前記表示制御手段が出力した前記表示内容を示す情報を記憶手段に記憶させる記憶制御手段と、
を有することを特徴とする制御システム。
【請求項１９】
放射線撮影の制御システムであって、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記異常の有無によらず前記表示制御手段が出力した前記表示内容を示す情報を記憶手段に記憶させると共に、前記判定手段により異常があると判定された場合に、当該異常に基づくタイミングで前記表示手段に対して前記表示制御手段が出力した前記表示内容を示す情報を保持し、その他の情報を削除するように前記記憶手段を制御する、記憶制御手段と、
を有することを特徴とする制御システム。
【請求項２０】
放射線撮影を行うための放射線撮影システムであって、
放射線を発生させてセンサでその放射線を検出することにより放射線撮影を行う放射線撮影手段と、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記判定手段により異常があると判定された場合に、当該異常に基づくタイミングで前記表示手段に対して前記表示制御手段が出力した前記表示内容を示す情報を記憶手段に記憶させる記憶制御手段と、
を有することを特徴とする放射線撮影システム。
【請求項２１】
放射線撮影を行うための放射線撮影システムであって、
放射線を発生させてセンサでその放射線を検出することにより放射線撮影を行う放射線撮影手段と、
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、
放射線撮影に関する異常の有無を判定する判定手段と、
前記異常の有無によらず前記表示制御手段が出力した前記表示内容を示す情報を記憶手段に記憶させると共に、前記判定手段により異常があると判定された場合に、当該異常に基づくタイミングで前記表示手段に対して前記表示制御手段が出力した前記表示内容を示す情報を保持し、その他の情報を削除するように前記記憶手段を制御する、記憶制御手段と、
を有することを特徴とする放射線撮影システム。
【請求項２２】
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段を含む、放射線撮影のためのシステムの制御方法であって、
判定手段が、放射線撮影に関する異常の有無を判定する判定工程と、
記憶制御手段が、前記判定工程において異常があると判定された場合に、当該異常に基づくタイミングで前記表示手段に対して前記表示制御手段が出力した前記表示内容を示す情報を記憶手段に記憶させる記憶制御工程と、
を有することを特徴とする制御方法。
【請求項２３】
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段を含む、放射線撮影のためのシステムの制御方法であって、
判定手段が、放射線撮影に関する異常の有無を判定する判定工程と、
記憶制御手段が、前記異常の有無によらず前記表示制御手段が出力した前記表示内容を示す情報を記憶手段に記憶させると共に、前記判定工程において異常があると判定された場合に、当該異常に基づくタイミングで前記表示手段に対して前記表示制御手段が出力した前記表示内容を示す情報を保持し、その他の情報を削除するように前記記憶手段を制御する、記憶制御工程と、
を有することを特徴とする制御方法。
【請求項２４】
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段を有する、放射線撮影の制御装置に備えられたコンピュータに、
放射線撮影に関する異常の有無を判定する判定工程と、
前記判定工程において異常があると判定された場合に、当該異常に基づくタイミングで前記表示手段に対して前記表示制御手段が出力した前記表示内容を示す情報を記憶手段に記憶させる記憶制御工程と、
を実行させるためのプログラム。
【請求項２５】
放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段を有する、放射線撮影の制御装置に備えられたコンピュータに、
放射線撮影に関する異常の有無を判定する判定工程と、
前記異常の有無によらず前記表示制御手段が出力した前記表示内容を示す情報を記憶手段に記憶させると共に、前記判定工程において異常があると判定された場合に、当該異常に基づくタイミングで前記表示手段に対して前記表示制御手段が出力した前記表示内容を示す情報を保持し、その他の情報を削除するように前記記憶手段を制御する、記憶制御工程と、
を実行させるためのプログラム。
【発明の詳細な説明】
【技術分野】
【０００１】
本発明は、放射線撮影における制御技術に関する。
【背景技術】
【０００２】
近年、Ｘ線信号をデジタル画像に変換して出力するフラットパネルディテクタなどのＸ線センサが普及しつつある。特許文献１には、これらのセンサを用いてＸ線撮影システムにより収集された画像データを、撮影装置のモニタ上で確認した後、外部のＰＡＣＳ等にデジタルデータとして転送することが記載されている。医師または技師は、転送された画像の確認と、それに基づく診断とを行う。
【先行技術文献】
【特許文献】
【０００３】
【特許文献１】特許第４８８３７３７号公報
【発明の概要】
【発明が解決しようとする課題】
【０００４】
システムの異常などにより適切な画像が収集出来ない場合、その原因を究明し、異常を解消する際に、例えばシステムにより出力されたログ情報が用いられる。しかしながら、異常が発生した当時のログが不十分である場合があること、そもそもログの解析に多くの時間がかかる場合があることなど、有効な対応を行うことが容易ではない場合がある。また、人の記憶を頼りに原因を究明することもできるが、情報が正確でなく、誤りを含んでいる場合などには、異常を解消することが容易ではなくなってしまう。
【０００５】
本発明は上記課題に鑑みなされたものであり、放射線撮影において異常が生じた際に、その異常を解消することを容易にすることを目的とする。
【課題を解決するための手段】
【０００６】
上記目的を達成するため、本発明による制御装置は、放射線撮影の制御装置であって、放射線撮影の撮影条件と、当該撮影条件の少なくとも１つによる放射線撮影で得られる放射線画像とを表示手段に表示させるための、当該表示手段に表示されるべき表示内容を示す情報を、当該表示手段に対して出力する表示制御手段と、放射線撮影に関する異常の有無を判定する判定手段と、前記判定手段により異常があると判定された場合に、当該異常に基づくタイミングで前記表示手段に対して前記表示制御手段が出力した前記表示内容を示す情報を記憶手段に記憶させる記憶制御手段と、を有する。
【発明の効果】
【０００７】
本発明によれば、放射線撮影において異常が生じた際に、その異常を解消することを容易にすることができる。
【図面の簡単な説明】
【０００８】
【図１】放射線撮影システムのハードウェア構成例を示す図。
【図２】放射線撮影システムの制御部の機能構成例を示す図。
【図３】制御部の処理の流れを示すフローチャート。
【図４】取得される画像の例を示す図。
【図５】取得される画像の別の例を示す図。
【発明を実施するための形態】
【０００９】
以下、添付図面を参照して本発明の実施の形態を詳細に説明する。なお、以下の実施の形態は特許請求の範囲に係る発明を限定するものでなく、また本実施形態で説明されている特徴の組み合わせの全てが発明の解決手段に必須のものとは限らない。
【００１０】
（放射線撮影システムの構成）
図１に、本実施形態に係る放射線撮影システムのハードウェア構成例を示す。図１に示すように、放射線撮影システムは、例えば、制御部１０１、センサ部１０２、放射線発生部１０３、表示部１０４、操作部１０５及び外部機器１０６を有する。なお、これらの各機能部は、それぞれ別のハードウェアを有する別個の装置であってもよいし、１つの装置内に複数の機能部が含まれてもよい。また、放射線は、例えばＸ線でありうる。
【００１１】
制御部１０１は、操作者による入力に基づき、センサユニットの駆動や放射線発生部への制御を行う制御装置である。また、制御部１０１は、補正データ、放射線撮影条件、画像データなどの各種データを管理する。制御部１０１は、その構成として、例えば、ＲＡＭ１１０、ＲＯＭ１１１、ＬＡＮインタフェース（ＬＡＮ／ＩＦ）１１２、ＤＩＳＫインタフェース（ＤＩＳＫ／ＩＦ）１１３、ＣＰＵ１１４、及び、ハードディスクなどの不揮発性記憶装置１１５を有する。そして、これらのハードウェアは、システムバス１１６によって互いに接続される。すなわち、制御部１０１は、一般的なコンピュータ構成を有する。センサ部１０２は、放射線発生部１０３から放射され、被写体を透過した放射線信号を画像化するセンサユニットであり、収集された画像は制御部１０１へ転送される。放射線発生部１０３は、放射線発生装置であり、制御部１０１の指示に基づいて放射線を放射（被写体及びセンサ部１０２の方向へ照射）する。
【００１２】
表示部１０４は、例えば、ＣＲＴや液晶ディスプレイなどの一般的なモニタを用いて構成され、画像データやＧＵＩ（グラフィカルユーザインタフェース）などを画面に表示する。操作部１０５は、マウス、キーボード、照射スイッチなどの入力装置を用いて構成され、操作者（ユーザ）が制御部１０１に対して各種コマンドやデータを入力するために使用される。なお、タッチパネルのように、表示部１０４と操作部１０５との両方の機能を有するモニタが用いられてもよい。外部機器１０６は、例えば制御部１０１から転送された画像を保存し、表示するための外部システムである。外部機器１０６は、例えば、ＰＡＣＳ（Ｐｉｃｔｕｒｅ  Ａｒｃｈｉｖｉｎｇ  ａｎｄ  Ｃｏｍｍｕｎｉｃａｔｉｏｎ  Ｓｙｓｔｅｍ）やＤＩＣＯＭビューワとして実現される。
【００１３】
（制御部１０１の構成）
次に、上述の制御部１０１の機能構成例について、図２を用いて説明する。図２は、制御部１０１の機能構成例を示すブロック図である。図２に示すように、制御部１０１は、例えば、その機能として、操作指示受付部２０１、画像表示制御部２０２、制御部２０３、放射線撮影制御部２０４、データ保存部２０５及びデータ転送部２０６を有する。
【００１４】
操作指示受付部２０１は、放射線撮影に伴う各種入力を受け付ける機能ブロックであり、操作部１０５のマウス、キーボード等の入力デバイスによって、操作者（ユーザ）が入力した患者情報又は検査情報などの受け付けを行う。画像表示制御部２０２は、放射線撮影の撮影条件と、その撮影条件の少なくとも１つによる放射線撮影によって得られる放射線撮影画像（放射線画像）とを表示部１０４に表示させるための制御を行う。なお、ここでの制御は、例えば、表示部１０４に放射線画像を表示させるための、表示されるべき表示内容の情報を出力する制御であり、表示部１０４がオフとなっているなどにより、実際には画像が表示されない状態であっても行われうる。また、画像表示制御部２０２は、表示部１０４に、操作ＧＵＩ（Ｇｒａｐｈｉｃａｌ  Ｕｓｅｒ  Ｉｎｔｅｒｆａｃｅ）も表示させるための制御をも行ってもよい。
【００１５】
制御部２０３は、放射線撮影に伴う放射線発生装置の制御、センサの駆動制御、及び画像出力の制御等、各種機能ブロックを有機的に連携させて放射線撮影を行うための機能を有する。また、制御部２０３は、撮影された放射線画像等に基づいて放射線撮影に伴う線量の指標値を算出し、その値を、予め設定されている線量指標値の閾値（例えば異常の有無を判定するための所定の範囲を示す値）と比較する等、他の様々な処理を行うこともできる。
【００１６】
放射線撮影制御部２０４は、例えば、センサ部１０２および放射線発生部１０３を制御し、制御部２０３の指示に従って放射線発生部１０３に放射線を照射させ、センサ部１０２から放射線画像を画像データとして収集する。データ保存部２０５は、例えば、放射線撮影制御部２０４によって収集された画像データを保存する。データ保存部２０５は、さらに、線量指標値の閾値、放射線撮影に関して算出された線量の指標値、収集されたスクリーンキャプチャ画面、画像処理パラメータ、センサのキャリブレーションデータ等、放射線撮影システムに必要な各種データを保存する。なお、データは、制御部１０１内の各種記憶装置によって管理される。データ転送部２０６は、制御部２０３からの指示に従い、画像データを外部機器１０６に対して転送する。
【００１７】
なお、上述の説明では、各機能部が制御部１０１の機能として実現される例について説明したが、放射線撮影システム内の他の装置によってこれらの機能のうちの少なくとも一部が実現される制御システムが構成されてもよい。例えば、画像表示制御部２０２は、別の装置に含まれてもよい。そして、以下に示す各処理のうち、異常の検出と記憶制御は制御部１０１の機能として行われ、画像表示制御部２０２は、例えば、制御部１０１の指示に応じて、出力した表示内容を示す情報が記憶装置に格納されるように、情報の転送を行うようにしてもよい。
【００１８】
（制御部の処理の流れ）
次に、図３を用いて、制御部１０１が実行する処理の流れについて説明する。本処理においては、まず、放射線撮影が実行される（Ｓ３０１）。例えば、操作者（ユーザ）が操作部１０５（曝射ボタンまたはフットスイッチ等）で放射線撮影開始を要求する指示を入力すると、放射線発生部１０３から放射線が照射される。そして、センサ部１０２が被写体を透過した放射線を検出して画像化を行うことにより、画像データが収集される。このとき、放射線撮影のためのいくつかの撮影条件が存在し、放射線撮影は、その撮影条件の少なくとも１つを用いて行われる。そして、制御部１０１は、放射線撮影での結果の放射線画像と、その撮影条件とを、表示部１０４に表示させるための表示制御を行う。
【００１９】
制御部１０１は、表示部１０４に放射線画像と撮影条件とを表示させる一方で、放射線撮影に関する異常の有無を判定する（Ｓ３０２）。この判定は、放射線撮影に関する異常の有無を判定できるような処理であれば、どのような処理によって行われてもよい。いくつかの例について、後述する。
【００２０】
そして、制御部１０１は、放射線撮影に異常がなかったと判定した場合（Ｓ３０２でＮＯ）は、そのまま処理を終了する。一方、制御部１０１は、放射線撮影に異常があったと判定した場合（Ｓ３０２でＹＥＳ）、その判定に応じて、表示部１０４に表示されるべき表示内容を示す情報を取得して、記憶する（Ｓ３０３）。なお、この表示内容を示す情報の取得においては、その表示内容が実際に表示部１０４に表示されていなくてもよい。すなわち、表示部１０４に対して出力された表示内容の情報が取得されていればよく、例えば、表示部１０４であるモニタがタイムアウト等でオフになっている場合など、実際に表示部１０４にその表示内容が表示されなくてもよい。また、例えば、制御部１０１は、実際に表示部１０４に放射線撮影で得られた画像データ等を表示させた後にその表示内容の情報を取得するのではなく、表示部１０４に表示させる予定の表示内容の情報を取得してもよい。この処理についてもいくつかの処理例について後述する。
【００２１】
なお、上述の説明では、制御部１０１は、放射線撮影に関する異常があったと判定した後に、表示内容の情報を取得すると説明したが、これに限られない。例えば、制御部１０１は、一度、全ての撮影について表示内容の情報を取得しておき、その後に、その撮影についての異常の有無を判定し、異常がなかった場合に、取得した表示内容の情報を削除してもよい。すなわち、異常があったと判定された放射線撮影に関して、表示部１０４に対して出力された、その異常があったタイミングでの撮影に関する表示内容を示す情報が記憶されるように記憶制御がされていれば足りる。したがって、その段階に至るまでの処理の手順はどのようなものであってもよい。なお、異常がない場合は、全ての放射線撮影について表示内容の情報を取得せずに、例えば１０回の放射線撮影に対して１回、表示内容の情報を取得するようにしてもよい。そして、異常があったと判定された場合に、それ以降、所定の期間は、表示内容の情報を取得する頻度を（例えば放射線撮影ごとに取得するように）上げてもよい。
【００２２】
なお、画像表示制御部２０２は、表示部１０４に表示させるべき表示内容に変化がない場合であっても、一定間隔（例えば６０フレーム毎秒）で、表示されるべき表示内容を示す情報を、表示部１０４に対して出力する場合が考えられる。この場合、異常の有無によらず、撮影ごとに表示内容を示す情報を記憶するのではなく、例えば単位時間に対して所定数（例えば３フレーム毎秒）のフレームを記憶するようにしておいてもよい。そして、放射線撮影に関する異常があったと判定した後に、その異常があったタイミングの前後に出力された表示内容を示す情報については（１つ又は所定数のフレームを）保持し続け、それ以外の情報については削除するように、記憶制御が行われてもよい。これにより、異常があった前後の状態を記憶しておくことが可能となる。なお、画像表示制御部２０２が出力した全ての表示内容を示す情報が一度記憶され、異常があったタイミングの前後に出力された表示内容を示す情報以外については削除されるように、記憶制御が行われてもよい。
【００２３】
なお、放射線撮影に関して異常があった場合は、その異常があったタイミングから、所定期間の間、単位時間あたりに記憶するフレーム数を増やすようにしてもよい。例えば、通常は３フレーム毎秒でフレームを記憶し、異常があったと判定したタイミングから所定時間の間は、６０フレーム毎秒でフレームを記憶するようにしてもよい。なお、このフレームを記憶する頻度は、例えば通常時において１時間に１フレームなどであってもよい。
【００２４】
なお、保持されるフレームは、異常があったと判定されたタイミングで出力された表示内容を示す情報から、数フレーム分のフレームでありうる。また、異常があったと判定されたタイミングから、その異常があった放射線撮影に関する表示内容を示す情報が出力されるまでにタイムラグがある場合は、このタイムラグを考慮して保持するフレームが決定されてもよい。例えば、異常があったと判定されたタイミングからそのタイムラグ分だけ後に出力された表示内容を示す情報について、所定数のフレーム分だけ保持されてもよいし、さらにその前に出力された表示内容を示す情報が所定数のフレーム分保持されてもよい。
【００２５】
いずれにしても、放射線撮影に関して異常があった場合は、その異常があったタイミングに基づくタイミングで表示部１０４に対して出力された表示内容を示す情報が１つ又は複数記憶されるように、記憶制御が行われる。
【００２６】
なお、異常に基づくタイミングに関する表示内容を示す情報について記憶する際に、その情報に、それまでに生じた１つ以上の異常のうちのいずれがその情報と対応するかを示すための識別情報が、表示内容を示す情報に関連付けられて記憶されてもよい。これにより、ユーザが後に参照するときに、記憶されている表示内容を示す情報がどの異常に関連して記憶されたものであるかを、容易に把握することが可能となる。なお、識別情報に代えて、タイムスタンプの情報が記憶されてもよい。すなわち、いつ、その表示内容を示す情報が出力されたかの情報が、その表示内容を示す情報に関連付けられて記憶されてもよい。これにより、ユーザは、異常が生じた時間を指定することにより、その表示内容を示す情報を容易に参照することができる。
【００２７】
（判定処理の例）
続いて、Ｓ３０２の判定処理のいくつかの例について説明する。以下では、いくつかの判定処理の例を個別に説明するが、これらの処理は、組み合わせて用いられてもよい。また、以下に示す判定処理はあくまでも例示であり、制御部１０１は、放射線撮影に関する異常の有無を判定できる他の処理を用いて、判定処理を実行してもよい。
【００２８】
（（例１））
本例では、制御部１０１は、放射線撮影時の線量の指標値が異常値となっているか、すなわち所定の範囲に含まれるか否かに応じて、その放射線撮影に関する異常の有無を判定する。なお、ここでの線量の指標値は、例えば、ＥＩ（Ｅｘｐｏｓｕｒｅ  Ｉｎｄｅｘ）値として知られる指標値である。ただし、センサ検出面に到達した線量が相対的に多いか、少ないかを判定することが可能な指標値であれば、ＥＩ以外の指標値が用いられてもよい。
【００２９】
本例では、制御部１０１は、例えば、異常値となっているかの判定基準となる所定の範囲を示す値（例えば指標値の閾値）を予め設定し、データ保存部２０５内に記憶しておく。そして、制御部１０１は、例えば放射線撮影の前など、実際の放射線撮影に関して得られる線量の指標値との比較処理の前に、この所定の範囲を示す値をデータ保存部２０５から読み出しておく。一方、制御部１０１は、放射線撮影が行われた際に、その放射線撮影で得られた画像データに基づいて、その放射線撮影に関する線量の指標値を算出する。そして、制御部１０１は、算出した撮影に係る指標値と、データ保存部２０５から読み出した所定の範囲を示す値とを比較する。そして、制御部１０１は、例えば、算出された指標値が、この所定の範囲内に含まれている場合は、放射線撮影に関する異常がないと判定し、この所定値の範囲に含まれていない場合は、放射線撮影に関する異常があると判定する。
【００３０】
（（例２））
本例では、制御部１０１は、過去の同じプロトコルでの複数の放射線撮影に関する線量の指標値についての統計値に基づいて、今回の放射線撮影に関して算出された線量の指標値とその統計値との乖離度を算出し、放射線撮影に関する異常の有無を判定する。ここで、指標値は、例１で用いられるものと同様である。制御部１０１は、例えば、過去の同じプロトコルでの撮影時に算出された指標値のデータ群から、平均値μと標準偏差σとを得る。そして、制御部１０１は、今回の撮影によって得られた線量の指標値ｉが、μ−２σ≦ｉ≦μ＋２σを満たすか否かによって、放射線撮影に関する異常の有無を判定する。制御部１０１は、例えば、今回の撮影によって得られた線量の指標値ｉが、上述の式を満たさない場合は、放射線撮影に関する異常があったと判定する。なお、上述の式が必ず用いられなければならないわけではなく、統計的なばらつきから、今回得られた値が異常値であるか否かを判定することができる他の方法が用いられてもよい。
【００３１】
（（例３））
本例では、制御部１０１は、取得された画像データに対する画像処理結果を利用して、放射線撮影に関する異常の有無を判定する。例えば、制御部１０１は、放射線撮影により得られた画像データについてヒストグラム解析を実行し、その画像データにおいて、撮影対象となる被写体が撮像されてないと判定した場合に、放射線撮影に関する異常があると判定する。
【００３２】
（（例４））
本例では、制御部１０１は、撮影画像の画素値から、放射線撮影に関する異常の有無を判定する。例えば、制御部１０１は、撮影画像の中心付近の座標のいくつかの画素値又は平均画素値が、極端に高い値又は低い値を示す場合に、放射線撮影に関する異常があったと判定する。なお、例１と同様に、制御部１０１は、例えば、予め比較対象となる値（所定の範囲を示す値）が設定し、データ保存部２０５内に記憶しておき、今回の撮影に関する画素値と、記憶していた値との比較によって、容易に異常の有無を判定することができる。
【００３３】
（（例５））
本例では、制御部１０１は、操作部１０５を介してユーザから所定の入力を受け付けたか否かに応じて、放射線撮影に関する異常の有無を判定する。すなわち、制御部１０１は、ユーザが異常を検知して所定の入力を行ったか否かを監視し、その監視結果に応じて、異常の有無を判定する。
【００３４】
例えば、制御部１０１は、ユーザにより、ある放射線撮影に関して写損処理又は再撮影処理が指示された場合に、その放射線撮影に関して異常があったと判定する。ここで、写損処理及び再撮影処理は、一般に、最初に撮影された画像が適切でないとユーザが判断した場合に実行される処理である。また、適切でないと判断される撮影とは、本来写っているべき領域が写っていない、被写体がぶれている、又は誤った撮影条件で撮影が行われた場合の撮影等である。
【００３５】
このように、写損処理又は再撮影処理が行われた場合に異常があったと判定して、表示部１０４に出力された、表示させるべき表示内容を示す情報を取得することで、ユーザは、その表示内容を再度参照して写損となった状況を後で検証できるようになる。
【００３６】
なお、制御部１０１は、写損処理又は再撮影処理以外の操作入力を受け付けた場合にも、異常があったと判定してもよい。例えば、制御部１０１は、画像処理パラメータの調整のための入力があった場合には、異常があったと判定してもよい。これにより、制御部１０１は、画像処理パラメータを調整した結果として画像が乱れた場合などに、その際に表示部１０４に出力された、表示されるべき表示内容を示す情報を取得でき、ユーザは、パラメータの設定の見直しなどを行うことが可能となる。
【００３７】
（（例６））
本例では、制御部１０１は、撮影画像から異常の有無の判定を行うのではなく、放射線撮影システムの動作に異常が生じたかによって、放射線撮影に関する異常の有無を判定する。このように、制御部１０１は、システムにおいて異常が生じた場合に、表示部１０４に対して出力された、表示させるべき表示内容の情報を取得することで、異常が生じた時の状況を記録することができる。
【００３８】
（記憶される情報の例）
続いて、異常があると判定した場合に制御部１０１が取得する情報のいくつか例について説明する。なお、以下に示す情報はあくまでも例であり、制御部１０１は、表示部１０４に対して出力した、表示部１０４に表示させるべき表示内容についての他の情報を記憶するように記憶制御を行ってもよい。
【００３９】
（（例１））
本例では、制御部１０１は、異常があると判定した際に表示部１０４に表示されている画面のスクリーンキャプチャを、表示内容を示す情報として取得する。なお、取得されたスクリーンキャプチャは、画像データとして、データ保存部２０５に記憶される。なお、このスクリーンキャプチャとは、実際に表示部１０４に表示された画像ではなく、表示部１０４に表示させるために、表示部１０４に対して出力された、表示内容を示す情報でありうる。すなわち、表示内容を示す情報が表示部１０４に表示されたことは必要としない。また、表示内容を示す情報は、表示部１０４に表示させるために生成されて出力された信号（ビット列）であって、その信号を（表示部１０４に限らない）表示装置に入力することで、いつでも、その表示されるべき表示内容の画像が再現されるような情報である。
【００４０】
なお、スクリーンキャプチャには、放射線撮影で得られた放射線画像自体は含まれなくてもよいし、含まれてもよい。すなわち、異常が生じた時点での、撮影条件などが分かる情報であれば足り、放射線画像が含まれずに撮影条件が含まれるような表示内容を示す情報が取得されてもよい。なお、このスクリーンキャプチャは、表示部１０４に表示されるＧＵＩ画面全体を含めたスクリーンキャプチャであってもよいし、表示部１０４に表示されるべき表示内容のうち、放射線撮影の状況が分かる部分のみが抽出された画像であってもよい。
【００４１】
図４に、取得されるスクリーンキャプチャの例を示す。図４において、４０１は操作画面全体を示しており、４０２は画像表示領域を示している。図４では、異常な放射線撮影が行われた結果、画像表示領域４０２に被写体が正しく描出されていない様子を示している。一方、表示領域の四隅にはアノテーション情報が描画されており、この放射線撮影における属性情報等が表示されている。例えば、左下のアノテーションから、この撮影が２０１３年１０月２３日の１５時３９分１６秒頃に行われたことが分かる。４０３は検査の被験者である患者の情報が表示される患者情報表示領域である。４０４は検査情報表示部であり、図４の例では、検査を識別するＡｃｃｅｓｓｉｏｎ番号が１２３４５である場合について示している。また、４０５はプロトコル表示部である。プロトコル表示部４０５には、撮影予定箇所と、撮影が終わった場合のその結果とが示される。なお、放射線撮影に関する異常の有無によらず、結果の画像は、画像表示領域４０２の他にも、プロトコル表示部４０５に示される。図４の例では、今回の撮影は胸部正面、胸部側面、腹部正面、腹部側面の４つの撮影を予定していた検査であることが示されている。また、上から２つ目の、胸部側面の撮影が、異常があったと判定されてキャプチャされた際の、画像表示領域４０２に示された表示画像と共通している。このため、ユーザは、このスクリーンキャプチャを参照することにより、この胸部側面の撮影において何らかの異常が発生したことを容易に把握することができる。
【００４２】
（（例２））
操作画面には、図４に示すように、患者ＩＤや患者名などの個人を特定する個人情報が含まれる場合がある。このため、本例では、制御部１０１は、スクリーンキャプチャの個人情報の部分を含む一部が視認できなくなるように処理された画像を、表示内容を示す情報として取得して、データ保存部２０５に記憶する。
【００４３】
図５は、個人情報の一部が視認できなくなるような処理を施された後のスクリーンキャプチャの例を示している。図５の例は、図４の例とは異なり、画像表示領域５０２に表示されている左上のアノテーション領域から、患者ＩＤ、患者名が除去されている。また、図５の例では、患者情報表示領域５０３から患者ＩＤ、患者名、生年月日が削除されている。このように、個人情報を視認できなくする処理を施した後の画像を記憶しておくことにより、個人情報を保護することが可能となる。
【００４４】
（（その他））
なお、制御部１０１は、表示内容を示す情報に加えて、放射線撮影に関する、センサ情報、ログデータ、画像データ、検査日時、Ｓｔｕｄｙ  Ｉｎｓｔａｎｃｅ  ＵＩＤ、ＳＯＰ  Ｉｎｓｔａｎｃｅ  ＵＩＤ、画像処理パラメータなどの情報を取得してもよい。なお、ＵＩＤとはＵｎｉｑｕｅ  Ｉｄｅｎｔｉｆｉｅｒであり、Ｓｔｕｄｙ  Ｉｎｓｔａｎｃｅ  ＵＩＤ、ＳＯＰ  Ｉｎｓｔａｎｃｅ  ＵＩＤは、ＤＩＣＯＭ規格で定められたＩＤ番号である。制御部１０１が表示内容を示す情報に加えてこのような情報を取得することにより、ユーザは、その後の異常の解析を容易に行うことができるようになる。また、保存処理は、解析データが回収されることを念頭に、発生日時に基づいて、フォルダ等にまとめて格納されてもよい。
【００４５】
このように、本実施形態に係る制御部１０１は、放射線撮影に関する異常がありエラーにより正常な画像が収集できなかった等の場合に、その異常に基づくタイミングで出力された表示内容を示す情報を記憶する。これにより、ユーザは、異常が起きた際にどのような画面が表示されてしていたかを容易に把握することができるようになり、異常を解消することが容易になる。
【００４６】
＜＜その他の実施形態＞＞
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００４７】
１０１：制御部、１０２：センサ部、１０３：放射線発生部、１０４：表示部、１０５：操作部
【図１】
2015188536.tif 000003
【図２】
2015188536.tif 000004
【図３】
2015188536.tif 000005
【図４】
2015188536.tif 000006
【図５】
2015188536.tif 000007